(57)【特許請求の範囲】
【請求項１】
本体天板１の両端部に梯子状の脚体２，２を設けてなる可搬式作業台Ｔにおける本体天板１の妻側端部に設置される妻側幅木１６であって、本体天板１の妻側端部上に起立姿勢に載置される妻側幅木本体１７を有し、妻側幅木本体１７の両端部には、本体天板１の両桁側端部上に載置固定された両桁側幅木５，５の端部に連結して、妻側幅木本体１７を起立姿勢に固定する連結手段１８を設けてなり、
前記連結手段１８は、前記妻側幅木本体１７の端部に設けられた係止フック２２及びロックピン２３と、前記桁側幅木５の端部における側面側上部及び端面側上部に夫々に設けられ、前記係止フック２２が係止する側面側フック係止溝１０及び端面側フック係止溝１１と、同じく前記桁側幅木５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなる可搬式作業台用妻側幅木。
【請求項２】
本体天板１の両端部に梯子状の脚体２，２を設けてなる可搬式作業台Ｔにおける本体天板１の妻側端部に張り出すように取り付けた張出足場１４の張出天板３１の妻側端部に設置される妻側幅木１６であって、張出足場１４の張出天板３１の妻側端部上に起立姿勢に載置される妻側幅木本体１７を有し、妻側幅木本体１７の両端部には、張出足場１４の張出天板３１の両桁側端部上に載置固定された両張出足場用桁側幅木１５，１５の端部に連結して、妻側幅木本体１７を起立姿勢に固定する連結手段１８を設けてなり、
前記連結手段１８は、前記妻側幅木本体１７の端部に設けられた係止フック２２及びロックピン２３と、前記張出足場用桁側幅木１５の端部における側面側上部及び端面側上部に夫々に設けられ、前記係止フック２２が係止する側面側フック係止溝１０及び端面側フック係止溝１１と、同じく張出足場用桁側幅木１５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなる可搬式作業台用妻側幅木。
【請求項３】
本体天板１の両端部に梯子状の脚体２，２を設けてなる可搬式作業台Ｔにおける本体天板１の妻側端部に設置される妻側幅木１６であって、本体天板１の妻側端部上に起立姿勢に載置される妻側幅木本体１７を有し、妻側幅木本体１７の両端部には、本体天板１の桁側端部上に載置固定された桁側幅木５の端部と、本体天板１の桁側端部に直交して延設される延長天板２１の桁側端部上に載置固定された桁側幅木５の端部とに連結して、妻側幅木本体１７を起立姿勢に固定する連結手段１８を設けてなり、
前記連結手段１８は、前記妻側幅木本体１７の端部に設けられた係止フック２２及びロックピン２３と、前記桁側幅木５の端部における側面側上部及び端面側上部に夫々に設けられ、前記係止フック２２が係止する側面側フック係止溝１０及び端面側フック係止溝１１と、同じく前記桁側幅木５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなる可搬式作業台用妻側幅木。
【請求項４】
本体天板１の両端部に梯子状の脚体２，２を設けてなる可搬式作業台Ｔにおける本体天板１の妻側端部に張り出すように取り付けた張出足場１４の張出天板３１の妻側端部に設置される妻側幅木１６であって、張出足場１４の張出天板３１の妻側端部上に起立姿勢に載置される妻側幅木本体１７を有し、妻側幅木本体１７の両端部には、張出足場１４の張出天板３１の桁側端部上に載置固定された張出足場用桁側幅木１５の端部と、張出足場１４の張出天板３１の桁側端部に直交して延設される延長天板２１の桁側端部上に載置固定された桁側幅木５の端部とに連結して、妻側幅木本体１７を起立姿勢に固定する連結手段１８を設けてなり、
前記連結手段１８は、前記妻側幅木本体１７の端部に設けられた係止フック２２及びロックピン２３と、前記桁側幅木５又は前記張出足場用桁側幅木１５の端部における側面側上部及び端面側上部に夫々に設けられ、前記係止フック２２が係止する側面側フック係止溝１０及び端面側フック係止溝１１と、同じく前記桁側幅木５又は張出足場用桁側幅木１５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなる可搬式作業台用妻側幅木。
【発明の詳細な説明】
【技術分野】
【０００１】
本発明は、建設現場などにおいて天井の内装仕上げや天井内の配線作業、配管作業などの高所作業を行う時に使用される可搬式作業台用の妻側幅木に関する。ここで、可搬式作業台とは、床面に固定されず、持ち運びが可能で、キャスターなどによって移動が容易な作業台を言うものとする。
【背景技術】
【０００２】
高所作業に使用される可搬式作業台には、足場用幅木と同様に、天板からの物の落下を防ぐための幅木が使用されているが、従来の作業台用幅木は、天板の桁側端部に設置される桁側幅木だけで、天板の妻側端部に設置される幅木は未だ提供されていない。
【発明の概要】
【発明が解決しようとする課題】
【０００３】
可搬式作業台では、天板の両端部、即ち妻側端部に設けられた梯子状脚体の何れか一方の梯子状脚体を使用して、作業者が天板に対する昇降を行うようになっているが、最近、安全面から、昇降時に使用しない妻側端部への妻側幅木の設置が必要とされている。
【０００４】
本発明は、上記ような課題に鑑み、作業台の天板、即ち本体天板の妻側端部に簡単且つ容易に設置できる妻側幅木を提供することを目的としている。
【課題を解決するための手段】
【０００５】
上記課題を解決するための手段を、後述する実施形態の参照符号を付して説明すると、請求項１に係る発明は、図１に示すように、本体天板１の両端部に梯子状の脚体２，２を設けてなる可搬式作業台Ｔにおける本体天板１の妻側端部に設置される妻側幅木１６であって、本体天板１の妻側端部上に起立姿勢に載置される妻側幅木本体１７を有し、妻側幅木本体１７の両端部には、本体天板１の両桁側端部上に載置固定された両桁側幅木５，５の端部に連結して、妻側幅木本体１７を起立姿勢に固定する連結手段１８を設けてなり、
前記連結手段１８は、前記妻側幅木本体１７の端部に設けられた係止フック２２及びロックピン２３と、前記桁側幅木５の端部における側面側上部及び端面側上部に夫々に設けられ、前記係止フック２２が係止する側面側フック係止溝１０及び端面側フック係止溝１１と、同じく前記桁側幅木５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなることを特徴とする。
【０００６】
請求項２に係る発明は、図２及び図９に示すように、本体天板１の両端部に梯子状の脚体２，２を設けてなる可搬式作業台Ｔにおける本体天板１の妻側端部に張り出すように取り付けた張出足場１４の張出天板３１の妻側端部に設置される妻側幅木１６であって、張出足場１４の張出天板３１の妻側端部上に起立姿勢に載置される妻側幅木本体１７を有し、妻側幅木本体１７の両端部には、張出足場１４の張出天板３１の両桁側端部上に載置固定された両張出足場用桁側幅木１５，１５の端部に連結して、妻側幅木本体１７を起立姿勢に固定する連結手段１８を設けてなり、
本体天板１の両端部に梯子状の脚体２，２を設けてなる可搬式作業台Ｔにおける本体天板１の妻側端部に張り出すように取り付けた張出足場１４の張出天板３１の妻側端部に設置される妻側幅木１６であって、張出足場１４の張出天板３１の妻側端部上に起立姿勢に載置される妻側幅木本体１７を有し、妻側幅木本体１７の両端部には、張出足場１４の張出天板３１の両桁側端部上に載置固定された両張出足場用桁側幅木１５，１５の端部に連結して、妻側幅木本体１７を起立姿勢に固定する連結手段１８を設けてなり、
前記連結手段１８は、前記妻側幅木本体１７の端部に設けられた係止フック２２及びロックピン２３と、前記張出足場用桁側幅木１５の端部における側面側上部及び端面側上部に夫々に設けられ、前記係止フック２２が係止する側面側フック係止溝１０及び端面側フック係止溝１１と、同じく張出足場用桁側幅木１５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなることを特徴とする
【０００７】
請求項３に係る発明は、図１１及び図１２に示すように、本体天板１の両端部に梯子状の脚体２，２を設けてなる可搬式作業台Ｔにおける本体天板１の妻側端部に設置される妻側幅木１６であって、本体天板１の妻側端部上に起立姿勢に載置される妻側幅木本体１７を有し、妻側幅木本体１７の両端部には、本体天板１の桁側端部上に載置固定された桁側幅木５の端部と、本体天板１の桁側端部に直交して延設される延長天板２１の桁側端部上に載置固定された桁側幅木５の端部とに連結して、妻側幅木本体１７を起立姿勢に固定する連結手段１８を設けてなり、
前記連結手段１８は、前記妻側幅木本体１７の端部に設けられた係止フック２２及びロックピン２３と、前記桁側幅木５の端部における側面側上部及び端面側上部に夫々に設けられ、前記係止フック２２が係止する側面側フック係止溝１０及び端面側フック係止溝１１と、同じく前記桁側幅木５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなることを特徴とする。
【０００８】
請求項４に係る発明は、図１３に示すように、本体天板１の両端部に梯子状の脚体２，２を設けてなる可搬式作業台Ｔにおける本体天板１の妻側端部に張り出すように取り付けた張出足場１４の張出天板３１の妻側端部に設置される妻側幅木１６であって、張出足場１４の張出天板３１の妻側端部上に起立姿勢に載置される妻側幅木本体１７を有し、妻側幅木本体１７の両端部には、張出足場１４の張出天板３１の桁側端部上に載置固定された張出足場用桁側幅木１５の端部と、張出足場１４の張出天板３１の桁側端部に直交して延設される延長天板２１の桁側端部上に載置固定された桁側幅木５の端部とに連結して、妻側幅木本体１７を起立姿勢に固定する連結手段１８を設けてなり、
前記連結手段１８は、前記妻側幅木本体１７の端部に設けられた係止フック２２及びロックピン２３と、前記桁側幅木５又は前記張出足場用桁側幅木１５の端部における側面側上部及び端面側上部に夫々に設けられ、前記係止フック２２が係止する側面側フック係止溝１０及び端面側フック係止溝１１と、同じく前記桁側幅木５又は張出足場用桁側幅木１５の端部における側面側所要部及び端面側所要部に夫々設けられ、前記ロックピン２３が突入する側面側ピン孔１２及び端面側ピン孔１３とからなり、前記係止フック２２を前記側面側フック係止溝１０又は前記端面側フック係止溝１１に係止させ、前記ロックピン２３は、常時はバネ２４により妻側幅木本体１７の端面から突出させているピン先端部２３ｏを、バネ付勢力に抗して引っ込めた状態から前記側面側ピン孔１２又は端面側ピン孔１３に突入させることにより、妻側幅木本体１７を起立姿勢に固定するようにしてなることを特徴とする。
【０００９】
【００１０】
【００１１】
【発明の効果】
【００１２】
上記解決手段による発明の効果を、後述する実施形態の参照符号を付して説明すると、請求項１に係る発明の可搬式作業台用妻側幅木によれば、可搬式作業台Ｔの本体天板１の妻側端部に妻側幅木１６を取り付ける場合に、本体天板１の両桁側端部上に載置固定されている両桁側幅木５，５の端部間に妻側幅木１６を載置して、妻側幅木本体１７の両端部を夫々連結手段１８により両桁側幅木５の端部に連結することによって、妻側幅木１６を本体天板１の妻側端部上に簡単容易に取り付けることとができる。
特に、連結手段１８は、妻側幅木本体１７の端部に設けられた係止フック２２及びロックピン２３と、桁側幅木５の端部における側面側上部及び端面側上部に夫々に設けられたフック係止溝１０，１１と、前記端部における側面側所要部及び端面側所要部に夫々設けられたピン孔１２，１３とからなるため、係止フック２２を何れかのフック係止溝１０，１１に係止させ、ロックピン２３をバネ付勢力に抗して引っ込めた状態から何れかのピン孔１２，１３に突入させることにより、その妻側幅木本体１７を所定位置に簡単容易に固定することができる。
【００１３】
請求項２に係る発明の可搬式作業台用妻側幅木によれば、本体天板１の妻側端部に取り付けた張出足場１４の張出天板３１の妻側端部に妻側幅木１６を取り付ける場合に、張出足場１４の張出天板３１の両桁側端部上に載置固定した両張出足場用桁側幅木１５，１５の端部間に妻側幅木１６を載置して、妻側幅木本体１７の両端部を夫々連結手段１８により両張出足場用桁側幅木１５，１５の端部に連結することによって、妻側幅木１６を張出足場１４の張出天板３１の妻側端部上に簡単容易に取り付けることができる。
特に、連結手段１８は、妻側幅木本体１７の端部に設けられた係止フック２２及びロックピン２３と、張出足場用桁側幅木１５の端部における側面側上部及び端面側上部に夫々に設けられたフック係止溝１０，１１と、前記端部における側面側所要部及び端面側所要部に夫々設けられたピン孔１２，１３とからなるため、係止フック２２を何れかのフック係止溝１０，１１に係止させ、ロックピン２３をバネ付勢力に抗して引っ込めた状態から何れかのピン孔１２，１３に突入させることにより、その妻側幅木本体１７を所定位置に簡単容易に固定することができる。
【００１４】
請求項３に係る発明の可搬式作業台用妻側幅木によれば、本体天板１の桁側端部に延長天板２１を延設して、この延長天板２１の桁側端部に上に載置固定した桁側幅木５の端部と、本体天板１の桁側端部上に載置固定した桁側幅木５の端部との間に位置する本体天板１の妻側端部に妻側幅木１６を設置する場合に、延長天板２１の桁側端部上にある桁側幅木５の端部と、本体天板１の桁側端部上にある桁側幅木５の端部と間に妻側幅木１６を載置して、妻側幅木本体１７の両端部を、夫々連結手段１８により、互いに直交する双方の桁側幅木５，５の端部に連結することによって、妻側幅木１６を本体天板１の妻側端部上に簡単容易に設置することができる。
特に、連結手段１８は、妻側幅木本体１７の端部に設けられた係止フック２２及びロックピン２３と、桁側幅木５の端部における側面側上部及び端面側上部に夫々に設けられたフック係止溝１０，１１と、前記端部における側面側所要部及び端面側所要部に夫々設けられたピン孔１２，１３とからなるため、係止フック２２を何れかのフック係止溝１０，１１に係止させ、ロックピン２３をバネ付勢力に抗して引っ込めた状態から何れかのピン孔１２，１３に突入させることにより、その妻側幅木本体１７を所定位置に簡単容易に固定することができる。
【００１５】
請求項４に係る発明の可搬式作業台用妻側幅木によれば、張出足場１４の張出天板３１の桁側端部上に載置固定された張出足場用桁側幅木１５の端部と、張出足場１４の張出天板３１の桁側端部に延設してある延長天板２１の桁側端部上に載置固定された桁側幅木５の端部との間において、張出足場１４の張出天板３１の妻側端部に妻側幅木１６を設置する場合に、張出足場１４の張出天板３１の桁側端部上にある張出足場用桁側幅木１５の端部と、延長天板２１の桁側端部上にある桁側幅木５の端部と間に妻側幅木１６を載置して、妻側幅木本体１７の両端部を、夫々連結手段１８により、互いに直交する張出足場用桁側幅木１５の端部と桁側幅木５の端部とに連結することによって、妻側幅木１６を張出天板３１の妻側端部上に簡単容易に設置することができる。
特に、連結手段１８は、妻側幅木本体１７の端部に設けられた係止フック２２及びロックピン２３と、桁側幅木５又は張出足場用桁側幅木１５の端部における側面側上部及び端面側上部に夫々に設けられたフック係止溝１０，１１と、前記端部における側面側所要部及び端面側所要部に夫々設けられたピン孔１２，１３とからなるため、係止フック２２を何れかのフック係止溝１０，１１に係止させ、ロックピン２３をバネ付勢力に抗して引っ込めた状態から何れかのピン孔１２，１３に突入させることにより、その妻側幅木本体１７を所定位置に簡単容易に固定することができる。
以上のように、本発明によれば、妻側幅木本体１７の両端部に、本体天板１や張出天板３あるいは延長天板２１の桁側幅木５，１５の幅木本体６，３４を連結手段１８によって連結する際に、妻側幅木本体１７に対して直交線上にある桁側幅木本体６，３４と連結する場合、又は妻側幅木本体１７に対して長手方向延長線上にある桁側幅木本体６，３４と連結する場合の何れの場合あっても、更には妻側幅木本体１７に対して直交線上または延長線上にある桁側幅木本体６，３４の左右端部の取付装置が左右逆の位置になっても、係止フック２２を側面側又は端面側のフック係止溝１０又は１１に係止でき、且つロックピン２３を側面側又は端面側のピン孔１２又は１３に突入させて支障なく連結することができる。このため、本発明によれば、桁側幅木５，１５が夫々一種類で済むから、製作上有利である。
【００１６】
【００１７】
【００１８】
【図面の簡単な説明】
【００１９】
【図１】(a) は可搬式作業台に妻側幅木を取り付けた状態の正面図、(b) はその平面図である。
【図２】(a) は作業台の妻側端部に張出足場を取り付け、その張出天板に妻側幅木を取り付けた状態の正面図、(b) は平面図、(c) は側面図である。
【図３】(a) は桁側幅木を示す正面図、(b) は平面図、(c) は端面図、(d) は(a) の矢印Ａで示す部分の拡大図、(e) は同部分の平面図、(f) は同部分の側面図、(g) は幅木本体の断面図である。
【図４】(a) は張出足場用桁側幅木を示す正面図、(b) は平面図、(c) は端面図である。
【図５】本発明に係る妻側幅木の一実施形態を示す正面図、(b) は平面図、(c) は端面図である。
【図６】(a) は図５の矢印Ｂで示す部分の拡大図で、ロックピンがバネの付勢力で突出した状態を示し、(b) は同部分の平面図、(c) はロックピンをバネの付勢力に抗して引っ込めた状態を示す。
【図７】本体天板に妻側幅木を取り付けた状態を本体天板の妻側端部から見た正面図である。
【図８】(a) は妻側延長天板使用時の作業台を示す正面図、(b) は平面図である。
【図９】図２の矢印Ｃで示す部分の拡大図である。
【図１０】図８の矢印Ｅ部分の拡大図である。
【図１１】図１２の矢印Ｆで囲まれる部分にある妻側幅木をその正面から見た図面である。
【図１２】桁側延長天板を使用した状態の作業台を示す平面図、(b) は正面図、(c) は側面図である。
【図１３】張出足場に桁側延長天板を使用した状態の作業台を示す平面図、(b) は正面図、(c) は側面図である。
【図１４】(a) は幅木本体に設けたロック手段を外側から見た正面図、(b) は(a) のＧ−Ｇ線断面図、(c) は(a) のＨ−Ｈ線断面図である。
【発明を実施するための形態】
【００２０】
以下に本発明の好適な一実施形態を図面に基づいて説明すると、図１の(a) は可搬式作業台Ｔの本体天板１の妻側端部に本発明に係る妻側幅木１６を取り付けた状態の正面図、(b) はその平面図である。この可搬式作業台Ｔは、本体天板１の左右両端に、梯子状の脚体２，２を、夫々回転金具３によって、図１の(a) に示すように末広がり状に傾斜して起立した開脚状態と、図示は省略するが、天板１の下面に沿うように折り畳んだ閉脚状態との間で開閉可能に設けたもので、天板１と脚体２の間には途中で屈曲自在なステー４を介装している。各梯子状脚体２は、図１の(a) に示すように、末広がり状に配置された両側一対の脚柱２ａ，２ａと、両脚柱２ａ，２ａ間に複数段に横架された踏桟２ｂとによって構成される。
【００２１】
桁側幅木５は、図３の(g) に示すような略外向きコ字状に形成されていて、同図の(a) に示すように本体天板１の桁側端部上に起立姿勢に載置される幅木本体６を有し、この幅木本体６の長手方向中央部に設けられたセット金具７と、幅木本体６の両端側に配設されて幅木本体６から本体天板１を上下方向に貫通する直立用ピン８，８とによって、幅木本体６を起立姿勢に固定するようになっている。尚、セット金具７及び直立用ピン８の詳細については後述する。幅木本体６の両端部にはコ字形金具９，９が取り付けられていて、図３の(a) ，(d) ，(e) ，(f) に示すように、各コ字形金具９の内外側面側上部及び端面側上部にはフック係止溝１０，１０，１１が設けられ、各コ字形金具９，９の内外側面側所要部及び端面側所要部にピン孔１２，１２，１３が設けられている。
【００２２】
図２の(a) は本体天板１の妻側端部に張出足場１４を取り付けた状態の正面図、(b) は平面図、(c) は側面図である。この張出足場１４は、図９にも示すように、一端部側の連結板２９が本体天板１の妻側端部上に載置されて係脱自在に係止固定される張出天板３１と、この張出天板３１の他端部側に枢着されたバックステー３２とからなるもので、このバックステー３２の遊端部に設けられた係止部材３３が、作業台Ｔの脚体２の踏桟２ｂに係脱可能に係止されるようになっている。
【００２３】
図４には張出足場１４の張出天板３１の桁側端部に設置される張出足場用桁側幅木１５を示し、図５には、本体天板１の妻側端部又は張出足場１４の張出天板３１の妻側端部に設置される本発明に係る妻側幅木１６を示している。張出足場用桁側幅木１５は、本体天板１の桁側端部（あるいは延長天板２１の桁側端部）上に載置される前記桁側幅木５とはその長さが短いだけで、それ以外は全く同じ構造であって、張出足場１４の張出天板３１の桁側端部上に起立姿勢に載置される幅木本体３４を有し、この幅木本体３４の長手方向中央部に設けられたセット金具７と、その両端側に配設されて幅木本体３４から張出天板３１を上下方向に貫通するピン状の直立用ピン８，８とによって、幅木本体３４を起立姿勢に固定するようになっている。また、幅木本体３４の両端部にはコ字形金具９，９が取り付けられていて、各コ字形金具９の内外側面側上部及び端面側上部には、図３の(d) 〜(f) 参照すれば分かるように前記幅木本体６と同じく、フック係止溝１０，１０，１１が設けられ、各コ字形金具９，９の内外側面側所要部及び端面側所要部にピン孔１２，１２，１３が設けられている。
【００２４】
本発明に係る妻側幅木１６は、図５の(a) 〜(c) に示すように、本体天板１の妻側端部上あるいは張出足場１４の張出天板３１の妻側端部上に起立姿勢に載置される妻側幅木本体１７を有し、この妻側幅木本体１７の両端部には、図１に示すように本体天板１の両桁側端部上に夫々載置固定された桁側幅木５，５の端部に連結し、あるいは図２に示すように張出足場１４の張出天板３１の両桁側端部上に夫々載置固定された張出足場用桁側幅木１５，１５の端部に連結し、あるいは図１２に示すように本体天板１の桁側端部上に載置固定された桁側幅木５の端部と、本体天板１の桁側端部に直交して延設される延長天板２１の桁側端部上に載置固定された桁側幅木５の端部とに連結し、あるいはまた図１３に示すように張出足場１４の張出天板３１の桁側端部上に載置固定された張出足場用桁側幅木１５の端部と、前記張出天板３１の桁側端部に直交して延設される延長天板２１の桁側端部上に載置固定された桁側幅木５の端部とに連結して、妻側幅木本体１７を起立姿勢に固定するための連結手段１８を設けてなるものである。
【００２５】
上記妻側幅木１６の構造について詳しく説明すれば、妻側幅木本体１７は、桁側幅木５の幅木本体６と同様な略外向きコ字状の断面形状（図３の(g) 参照）を有し、両端部にはコ字形端具１９，１９が取り付けられている。連結手段１８は、図６に示すように、妻側幅木本体１７の端部に設けられた係止フック２２及びロックピン２３と、前記桁側幅木５の各コ字形金具９の内外側面側上部及び端面側上部に夫々設けられ、前記係止フック２２が係止するフック係止溝１０，１１と、同コ字形金具９の内外側面側所要部及び端面側所要部に夫々設けられ、前記ロックピン２３が突入するピン孔１２，１３とからならなるもので、係止フック２２をフック係止溝１０，１１に係止させ、ロックピン２３は、常時はバネ２４によって妻側幅木本体１７の端面から突出しているピン先端部２３ｏを、バネ２４の付勢力に抗して引っ込めた状態からピン孔１２，１３に突入させることにより、妻側幅木本体１７を起立姿勢に固定するようにしている。
【００２６】
各係止フック２２は、鋼板製のもので、図６に示すように、コ字形端具１９の上端部から妻側幅木本体１７の長手方向に水平に延びる水平片部２２ａと、この水平片部２２ａの先端部から下向きに突出するフック先端部２２ｏとからなる。ロックピン２３は、妻側幅木本体１７の長手方向に水平に延びるピン本体部２３ａと、このピン本体部２３ａの基端部から直角に突出する把手部２３ｂとによって略Ｌ字状に形成されたもので、ピン本体部２３ａを、妻側幅木本体１７の内部に取り付けられたブラケット２５で妻側幅木本体１７の長手方向にスライド自在に支持すると共に、ピン本体部２３ａとブラケット２５との間に介装したコイルバネ２４によってピン先端部２３ｏが妻側幅木本体１７の端面（コ字形端具１９の端面）から常時突出するように付勢している。
【００２７】
ブラケット２５は、鋼板により形成され、図６の(b) に示すように、妻側幅木本体１７の内面に固着される基板部２５ａと、この基板部２５ａの中間部から立ち上がるように突出する凸部２５ｂと、基板部２５ａの一端から突出する突片部２５ｃとからなるもので、凸部２５ｂでロックピン２３のピン本体部２３ａを貫通支持し、常時はバネ２４の付勢力でピン先端部２３ｏをコ字形端具１９の端面に穿設された孔２６から突出させて、ロック状態とし、バネ２４の付勢力に抗して把手部２３ｂを引っ張ることによりロック状態を解除し、このロック解除状態で把手部２３ｂを突片部２５ｃに設けた係止溝２７に係止させることにより、ロックピン２３をロック解除状態に保持できるようにしている。
【００２８】
前記桁側幅木５の幅木本体６を本体天板１あるいは延長天板２１の桁側端部あるいは張出足場用桁側幅木１５の幅木本体３４を張出天板３１の桁側端部に固定するためのセット金具７の構造について、図１４を参照して説明すると、セット金具７は、図１４のの(a) 〜(c) に示すように、略縦長矩形状の一枚の金属板材よりなるもので、下端側には板材下端部を側面視Ｖ字形に内側へ鋭角に折り曲げて係止部３５を形成すると共に、やや上部寄り位置の左右両側部に内向きに突出した突片３６，３６を備え、これらの突片３６，３６と幅木本体６，３４に固着されたコ字状金具３７の左右両側片３７ａ，３７ａとの重合部分に貫設した水平ピン３８により、幅木本体６，３４の下部側フランジ４０に当接する垂直姿勢と、下部を外側へ突き出す傾斜姿勢との間で揺動可能に枢着され、且つ水平ピン３８に嵌装したタコばね３９の付勢によって常時は垂直姿勢を保持するように設定されている。
【００２９】
従って、桁側幅木５を例えば本体天板１の桁側端部に設置するにあたって、セット金具７をセットするには、幅木本体６を本体天板１の桁側端部の上方に位置させた状態から、幅木本体６を下ろして、セット金具７の下端部を幅木本体６上面に当てると、垂直姿勢にあったセット金具７は、下端部の内側斜め上方へＶ字形に突設された係止部３５の傾斜状下面が本体天板１の側縁部１ａに接触するから、傾斜誘導作用によって自動的にタコばね３９の付勢に抗して外側へ傾動変位し、係止部３５の先端が本体天板１の側縁部１ａの外側面に摺接しながら幅木本体６と一体に下降することになる。しかして、幅木本体６が本体天板１上に載った段階では、セット金具７の係止部３５の先端が本体天板１の側縁部１ａよりも下位にくるから、セット金具７はタコばね３９の付勢力によって自動的に垂直姿勢に戻り、係止部３５が本体天板１の側縁部１ａの下側へ入り込んで係止され、これにより幅木本体６を起立姿勢に固定することができる。桁側幅木５の取外し時には、セット金具７の下端部側をばね３９付勢力に抗して外側へ引き出し、係止部３５が本体天板１の側縁部１ａから外側へ脱した状態で、そのまま幅木本体６を上方へ持ち上げればよい。
【００３０】
上記セット金具７のセット方法は、桁側幅木５を延長天板２１に設置したり、張出足場用桁側幅木１５を張出足場１４の張出天板３１に設置する場合も同様である。また、直立用ピン８は、上記のようにセット金具７によって桁側幅木５を本体天板１や延長天板２１に固定したり、張出足場用桁側幅木１５を張出足場１４の延長天板２１に固定した後、幅木本体６又は張出足場用桁側幅木１５の幅木本体３４に設けられたピン孔から本体天板１又は張出天板３１に設けられたピン孔に挿通させ、それによって幅木本体６，３４の全体を本体天板１又は張出天板３１上に起立姿勢に固定する。
【００３１】
次に本発明に係る妻側幅木１６の取り付け方法について説明すると、先ず、図１は、作業台Ｔの本体天板１の妻側端部に妻側幅木１６を取り付ける場合であって、この場合は、本体天板１の両桁側端部上に桁側幅木５，５を載置固定した後、両桁側幅木５，５の端部間に、上方より妻側幅木１６を本体天板１の妻側端部上に下ろして載置し、妻側幅木本体１７の両端部を夫々連結手段１８により両桁側幅木５の端部に連結することにより、妻側幅木１６を本体天板１の妻側端部上に簡単容易に設置することができる。
【００３２】
桁側幅木５を本体天板１の桁側端部上に載置固定するには、前述のようにセット金具７及び直立用ピン８によって桁側幅木５を本体天板１の桁側端部上に起立姿勢に固定する。そして、妻側幅木本体１７の端部を連結手段１８で桁側幅木５の端部に連結する時は、妻側幅木本体１７の端面から突出しているロックピン２３を、バネ２４の付勢力に抗して引っ込めてロック解除した状態から、係止フック２２を、桁側幅木５の端部の側面側上部にある側面側フック係止溝１０（図３の(d) ，(e) 参照）に係止し、その後にロックピン２３をバネ付勢力によって桁側幅木５の端部の側面側中間部にある側面側ピン孔１２（図３の(d) ，(e) 参照）に突入させればよく、これにより妻側幅木本体１７の端部を桁側幅木５の端部に簡単容易に連結できて、妻側幅木本体１７を本体天板１の妻側端部上に的確に固定することができる。こうして本体天板１の妻側端部上に妻側幅木本体１７を取り付けた状態を図７に示す。
【００３３】
図８は妻側延長天板使用時の作業台Ｔを示すもので、２台の作業台Ｔ，Ｔの妻側端部間に延長天板２１を介設し、その一方の作業台Ｔの本体天板１の妻側端部に妻側幅木１６を取り付ける場合であって、各作業台Ｔ及び延長天板２１には夫々の本体天板１の両桁側端部上に桁側幅木５を取り付けている。この場合の妻側幅木１６の取付方法は、上述した方法と同じである。尚、この延長天板２１は、寸法的にも本体天板１と同じ構造であるが、延長天板２１の端部には、図１０及び図１１に示すように、本体天板１の妻側端部上に載置されて、その妻側端部に適宜に係脱自在に係止される連結板２８が突設されている。
【００３４】
図２は本体天板１の妻側端部に取り付けられた張出足場１４の張出天板３１の妻側端部に妻側幅木１６を取り付ける場合を示したもので、この場合は、図９に示すように、張出足場１４の張出天板３１の両桁側端部上に張出足場用桁側幅木１５，１５を載置固定した後、両張出足場用桁側幅木１５，１５の端部間に、上方より妻側幅木１６を張出天板３１の妻側端部上に下ろして載置し、妻側幅木本体１７の両端部を夫々連結手段１８により両張出足場用桁側幅木１５，１５の端部に連結することによって、妻側幅木１６を張出天板３１の妻側端部上に簡単容易に設置することができる。
【００３５】
張出足場用桁側幅木１５を張出天板３１の桁側端部上に設置するには、前述した桁側幅木５の場合と全く同様で、セット金具７及び直立用ピン８によって張出足場用桁側幅木１５を張出天板３１の桁側端部上に起立姿勢に固定する。また、妻側幅木本体１７の端部を連結手段１８で張出足場用桁側幅木１５の端部に連結する時も同様で、妻側幅木本体１７の端面から突出しているロックピン２３を、バネ２４の付勢力に抗して引っ込めてロック解除した状態から、係止フック２２を、張出足場用桁側幅木１５の端部の側面側上部にあるフック係止溝１０（図３の(d) ，(e) 参照）に係止し、その後にロックピン２３をバネ付勢力により桁側幅木１５の端部の側面側中間部にあるピン孔１２（図３の(d) ，(e) 参照）に突入させればよく、これによって妻側幅木本体１７の端部を張出足場用桁側幅木１５の端部に簡単容易に連結することができる。
【００３６】
図１１及び図１２は、本体天板１の桁側端部に延長天板２１を直交して延設して、この延長天板２１の桁側端部上に載置固定した桁側幅木５の端部と、本体天板１の桁側端部上に載置固定した桁側幅木５の端部との間に位置する本体天板１の妻側端部に妻側幅木１６を設置する場合を示したもので、図１２の(a) から分かるように、延長天板２１の外側の桁側端部上にある桁側幅木５の端部と、本体天板１の外側の桁側端部上にある桁側幅木５の端部と間に、上方より妻側幅木１６を本体天板１の妻側端部上に下ろして載置し、妻側幅木本体１７の両端部を、夫々連結手段１８により、双方の桁側幅木５，５の端部に連結することによって、妻側幅木１６を本体天板１の妻側端部上に簡単容易に設置することができる。
【００３７】
この場合、妻側幅木本体１７の一端部を延長天板２１上の桁側幅木５の端部に連結するには、妻側幅木本体１７の一端面から突出しているロックピン２３を、バネ２４の付勢力に抗して引っ込めてロック解除した状態から、係止フック２２を、桁側幅木５の端部の端面側上部にある端面側フック係止溝１１（図３の(e) ，(f) 参照）に係止し、その後にロックピン２３をバネ付勢力で桁側幅木５の端部の端面側中間部にある端面側ピン孔１３（図３の(e) ，(f) 参照）に突入させればよく、また妻側幅木本体１７の他端部を本体天板１上の桁側幅木５の端部に連結するには、妻側幅木本体１７の他端面から突出しているロックピン２３をロック解除した状態から、係止フック２２を、桁側幅木５の端部の側面側上部にある側面側フック係止溝１０（図３の(d) ，(e) 参照）に係止し、その後にロックピン２３をバネ付勢力で桁側幅木１５の端部の側面側中間部にある側面側ピン孔１２（図３の(d) ，(e) 参照）に突入させればよく、こうすることによって妻側幅木本体１７の端部を、互いに直交する双方の桁側幅木５，５の端部に簡単容易に連結することができる。この場合の妻側幅木１６の取付状態を妻側幅木１６の正面側から見た図面が図１１である。
【００３８】
図１３は、張出足場１４の張出天板３１の桁側端部上に載置固定された張出足場用桁側幅木１５の端部と、張出足場１４の張出天板３１の桁側端部に直交して延設される延長天板２１の桁側端部上に載置固定された桁側幅木５の端部との間の位置で、張出足場１４の張出天板３１の妻側端部に妻側幅木１６を設置する場合を示したもので、同図の(a) から分かるように、張出足場１４の張出天板３１の桁側端部上にある張出足場用桁側幅木１５の端部と、延長天板２１の桁側端部上にある桁側幅木５の端部と間に、上方より妻側幅木１６を張出天板３１の妻側端部上に下ろし、妻側幅木本体１７の両端部を、夫々連結手段１８により、互いに直交する張出足場用桁側幅木１５の端部と桁側幅木５の端部とに連結することによって、妻側幅木１６を張出天板３１の妻側端部上に簡単容易に設置することができる。
【００３９】
この場合、妻側幅木本体１７の一端部を張出天板３１上の張出足場用桁側幅木１５の端部に連結するには、妻側幅木本体１７の一端面から突出しているロックピン２３をロック解除した状態から、係止フック２２を、張出足場用桁側幅木１５の端部の側面側上部にある側面側フック係止溝１０（図３の(d) ，(e) 参照）に係止し、その後にロックピン２３をバネ付勢力で桁側幅木１５の端部の側面側中間部にある側面側ピン孔１２（図３の(d) ，(e) 参照）に突入させればよく、また妻側幅木本体１７の他端部を延長天板２１上の桁側幅木５の端部に連結するには、妻側幅木本体１７の一端面から突出しているロックピン２３をロック解除した状態から、係止フック２２を、張出足場用桁側幅木１５の端部の端面側上部にある端面側フック係止溝１１（図３の(e) ，(f) 参照）に係止し、その後にロックピン２３をバネ付勢力で張出足場用桁側幅木１５の端部の端面側中間部にある端面側ピン孔１３（図３の(e) ，(f) 参照）に突入させればよく、こうすることにより妻側幅木本体１７の端部を、互いに直交する張出天板３１上の張出足場用桁側幅木１５と延長天板２１上の桁側幅木５との端部に対し簡単容易で的確に連結することができる。この場合の妻側幅木１６の取付状態を妻側幅木１６の正面側から見た図面が図１１である。
【００４０】
上述した実施形態の桁側幅木５及び張出足場用桁側幅木１５では、幅木本体６の両端部及び幅木本体３４の両端部に夫々コ字形金具９が取り付けられていて、図３の(d) 〜(f) に示すように、各コ字形金具９の内外両側面に夫々フック係止溝１０及びピン孔１２が設けられているが、これは、幅木本体６，３４の端部と、この幅木本体６，３４と直交する妻側幅木１６の端部との間で、妻側幅木本体１７の両端部を連結手段１８の係止フック２２及びロックピン２３によって連結する場合に、幅木本体６，３４の左右端部が取付位置によって逆の位置になっても、係止フック２２をフック係止溝１０に係止でき、またロックピン２３をピン孔１２に突入させることができるようにしたもので、こうすれば、桁側幅木５，１５が夫々一種類で済むから、製作上有利である。
【００４１】
【００４２】
【００４３】
【００４４】
【符号の説明】
【００４５】
１            本体天板
２            脚体
５            桁側幅木
６            桁側幅木の幅木本体
１０，１１    フック係止溝
１２，１３    ピン孔
１４          張出足場
１５          張出足場用桁側幅木
１６          妻側幅木
１７          妻側幅木本体
１８          連結手段
２１          延長天板
２２          係止フック
２３          ロックピン
３１          張出天板
【図１】
0005409507.tif 000002
【図２】
0005409507.tif 000003
【図３】
0005409507.tif 000004
【図４】
0005409507.tif 000005
【図５】
0005409507.tif 000006
【図６】
0005409507.tif 000007
【図７】
0005409507.tif 000008
【図８】
0005409507.tif 000009
【図９】
0005409507.tif 000010
【図１０】
0005409507.tif 000011
【図１１】
0005409507.tif 000012
【図１２】
0005409507.tif 000013
【図１３】
0005409507.tif 000014
【図１４】
0005409507.tif 000015